(57)【要約】【課題】  物品、特に、年賀状用はがきに関する陳列具で、物品を別途保管する必要がなく、かつ、防犯機能にも優れている陳列具を提供する。【解決手段】  陳列保管具Ａ１は、本体部１と、本体部１内に収納される箱部とを有し、本体部１は、背面部１２と側面部１４、１６とを有する立設部１０と、陳列部４０とを有し、陳列部４０は、複数の個別陳列棚部４２からなる陳列棚部４１と、仕切り部７０とを有している。該陳列部４０には、販売対象の物品のサンプル等を陳列する。該箱部には販売対象の物品を収納する。該箱部は、背面部１２の下部に開閉可能な蓋部が設けられていて、蓋部を開けることにより、本体部１内に収納できるようになっている。【選択図】        図１
0003113514.tif 000002
【実用新案登録請求の範囲】
【請求項１】
販売対象の物品のサンプル又は該物品を陳列するとともに、該物品を保管するための陳列保管具で、
販売対象の物品のサンプル又は該物品を陳列するための陳列部と、
該物品を保管する保管部と、
該保管部に保管された物品を該保管部から取り出すのを規制する規制手段と、
を有することを特徴とする陳列保管具。
【請求項２】
販売対象の物品のサンプル又は該物品を陳列するとともに、該物品を保管するための陳列保管具で、
板状の背面部と、該背面部の両側の端部から正面側に向けて設けられた板状の側面部と、を有する立設部と、
該立設部における一対の側面部間に支持された陳列部で、販売対象の物品のサンプル又は該物品を陳列することができる陳列部と、
を有する本体部と、
販売対象の物品を保管するための保管部で、該本体部内に収納可能な保管部と、
を有し、
該本体部の背面側には切欠部又は開口部が設けられているとともに、該切欠部又は開口部を開閉する開閉手段が設けられており、該切欠部又は開口部を介して、該保管部を本体部内に収納するとともに本体部から取り出し可能であることを特徴とする陳列保管具。
【請求項３】
販売対象の物品のサンプル又は該物品を陳列するとともに、該物品を保管するための陳列保管具で、
板状の背面部と、該背面部の両側の端部から正面側に向けて設けられた板状の側面部と、を有する立設部と、
該立設部における一対の側面部間に支持された陳列部で、販売対象の物品のサンプル又は該物品を陳列することができる陳列部と、
該立設部の背面側に設けられた収納部で、切欠部又は開口部が設けられているとともに、該切欠部又は開口部を開閉する開閉手段が設けられている収納部と、
を有する本体部と、
販売対象の物品を保管するための保管部で、該収納部内に収納可能な保管部と、
を有することを特徴とする陳列保管具。
【請求項４】
上記立設部の側面部における正面側の辺部が傾斜して形成され、該辺部には所定の間隔を介して複数の溝部が形成されており、また、上記陳列部は、複数の個別陳列棚部からなる陳列棚部を有し、該個別陳列棚部が、板状の正面板部で、その両側に立設部の側面部に設けられた溝部に嵌合するための第１溝部が設けられている正面板部と、該正面板部の下端から奥側に形成された底面板部で、帯状の板状を呈する底面板部と、該底面板部の奥側の端部から上方に向けて設けられた、板状の背面板部で、その両側に立設部の側面部に設けられた溝部に嵌合するための第１溝部が設けられ、その高さ方向の幅が該正面板部の高さ方向の幅よりも大きく形成された背面板部と、を有し、正面板部の両側の溝部と背面板部の両側の溝部が側面部の溝部に嵌合することにより、個別陳列棚部が立設部に支持されていることを特徴とする請求項２又は３に記載の陳列保管具。
【請求項５】
上記個別陳列棚部における正面板部と背面板部には、上辺から下方に伸びた第２溝部が１又は複数設けられ、さらに、陳列部には、帯状の板状を呈し、個別陳列棚部における正面板部の第２溝部と背面板部の第２溝部に嵌合するための溝部を有する仕切り部が設けられ、該仕切り部が、該個別陳列棚部における正面板部と底面板部と背面板部とで囲まれた収納空間を仕切るように構成されていることを特徴とする請求項４に記載の陳列保管具。
【請求項６】
上記販売対象の物品が、宛名を記載する面の反対側の面が印刷済みのはがきであることを特徴とする請求項１又は２又は３又は４又は５に記載の陳列保管具。
【請求項７】
販売対象のはがきのサンプル又は該はがきを陳列するとともに、該はがきを保管するための陳列保管具で、
１枚の段ボール材等の紙材により形成された立設部で、
板状の背面部で、その下端部から上方に伸びた一対の切込み部と、該一対の切込み部の上端間に設けられた折れ線とにより囲まれた蓋部が開閉可能に形成されている背面部と、
該背面部の両側の端部から正面側に向けて設けられた板状の側面部で、正面側の辺部が傾斜して形成され、該辺部には所定の間隔を介して複数の溝部が形成された側面部と、を有する立設部と、
該立設部における一対の側面部間に支持された陳列部で、陳列棚部と、仕切り部とを有する陳列部で、
該陳列棚部が、複数の個別陳列棚部を有し、各個別陳列棚部が、１枚の段ボール材等の紙材により形成されているとともに、
各個別陳列棚部が、
板状の正面板部で、その両側に、立設部の側面部に設けられた溝部に嵌合するための第１溝部が設けられているとともに、その上辺から下方に伸びた第２溝部が１又は複数設けられた正面板部と、
該正面板部の下端から背面側に形成された底面板部で、帯状の板状を呈する底面板部と、
該底面板部の背面側の端部から上方に向けて設けられた、板状の背面板部で、その両側に立設部の側面部に設けられた溝部に嵌合するための第１溝部が設けられているとともに、その上辺から下方に伸びた第２溝部が１又は複数設けられた背面板部で、その高さ方向の幅が該正面板部の高さ方向の幅よりも大きく形成された背面板部と、を有し、
正面板部の両側の溝部と背面板部の両側の溝部が側面部の溝部に嵌合することにより、個別陳列棚部が立設部に支持されており、
該仕切り部が、１枚の段ボール材等の紙材により形成され、帯状の板状を呈し、個別陳列棚部における正面板部の第２溝部と背面板部の第２溝部に嵌合するための溝部を有し、該陳列棚部を構成する個別陳列棚部における正面板部と底面板部と背面板部とで囲まれた収納空間を仕切るように構成された陳列部と、
を有する本体部と、
該本体部における立設部の背面部に設けられた蓋部から本体部内に収納可能な保管部で、販売対象のはがきを保管するための保管部と、
を有することを特徴とする陳列保管具。
【請求項８】
販売対象のはがきのサンプル又は該はがきを陳列するとともに、該はがきを保管するための陳列保管具で、
１枚の段ボール材等の紙材により形成された立設部で、
板状の背面部で、その下端部から上方に伸びた一対の切込み部と、該一対の切込み部の上端間に設けられた折れ線とにより囲まれた蓋部が開閉可能に形成されている背面部と、
該背面部の両側の端部から正面側に向けて設けられた板状の側面部で、正面側の辺部が傾斜して形成され、該辺部には所定の間隔を介して複数の溝部が形成された側面部と、を有する立設部と、
該立設部における一対の側面部間に支持された陳列部で、陳列棚部と、仕切り部とを有する陳列部で、
該陳列棚部が、複数の個別陳列棚部を有し、各個別陳列棚部が、１枚の段ボール材等の紙材により形成されているとともに、
各個別陳列棚部が、
板状の正面板部で、その両側に、立設部の側面部に設けられた溝部に嵌合するための第１溝部が設けられているとともに、その上辺から下方に伸びた第２溝部が１又は複数設けられた正面板部と、
該正面板部の下端から背面側に形成された底面板部で、帯状の板状を呈する底面板部と、
該底面板部の背面側の端部から上方に向けて設けられた、板状の背面板部で、その両側に立設部の側面部に設けられた溝部に嵌合するための第１溝部が設けられているとともに、その上辺から下方に伸びた第２溝部が１又は複数設けられた背面板部で、その高さ方向の幅が該正面板部の高さ方向の幅よりも大きく形成された背面板部と、を有し、
正面板部の両側の溝部と背面板部の両側の溝部が側面部の溝部に嵌合することにより、個別陳列棚部が立設部に支持されており、
該仕切り部が、１枚の段ボール材等の紙材により形成され、帯状の板状を呈し、個別陳列棚部における正面板部の第２溝部と背面板部の第２溝部に嵌合するための溝部を有し、該陳列棚部を構成する個別陳列棚部における正面板部と底面板部と背面板部とで囲まれた収納空間を仕切るように構成された陳列部と、
該立設部の背面部に固定して設けられた収納部で、
板状の底面部と、該底面部の両端から立設して設けられた一対の側面部と、該一対の側面部の上端間に設けられた上面部とを有するスリーブ状部と、
該スリーブ状部の一対の側面部における各側面部に設けられた扉部で、側面部に対して回動可能に設けられた扉部と、を有する収納部と、
を有する本体部と、
該収納部内に収納可能な保管部で、販売対象のはがきを保管するための保管部と、
を有することを特徴とする陳列保管具。
【請求項９】
上記保管部が、箱状を呈することを特徴とする請求項１又は２又は３又は４又は５又は６又は７又は８に記載の陳列保管具。
【請求項１０】
上記保管部が、板状の背面部と、該背面部の両側の端部から正面側に向けて設けられた板状の側面部と、を有する立設部と、該立設部における一対の側面部間に支持された陳列部と、を有し、該陳列部に物品を陳列することができることを特徴とする請求項１又は２又は３又は４又は５又は６又は７又は８に記載の陳列保管具。
【考案の詳細な説明】
【技術分野】
【０００１】
本考案は、物品を陳列する物品陳列具に関するものであり、特に、年賀状用のはがきとしての物品を陳列するための物品陳列具に関するものである。
【背景技術】
【０００２】
従来における物品を陳列するための陳列具として、斜めに設けられた支脚に収納ケースを上下方向に所定間隔を介して配設した陳列ケースが存在する（特許文献１）。
【０００３】
また、商品を陳列するとともに、警報装置を載置するトレーを有する陳列棚が存在する（特許文献２）。
【０００４】
また、従来において、年賀状パックを店頭において販売する際には、販売する年賀状パックを陳列棚に陳列しておき、顧客がこの陳列棚から引き抜いてレジに持って行く方法が取られている。
【特許文献１】実開昭５４−１６０５９５号公報
【特許文献２】特開平１０−９９１７２号公報
【考案の開示】
【考案が解決しようとする課題】
【０００５】
しかし、商品を販売するに際して、販売する商品の見本を陳列しつつ、実際に販売する商品は別途保管しておくのが防犯上は好ましいといえる。
【０００６】
すると、上記特許文献１の陳列ケースにおいては、収納ケースが上下方向に配設されているのみであるので、商品の見本を陳列ケースに陳列する場合には、実際に販売する商品は別途保管しなければならず、保管用のケース等が別途必要になり、保管スペースも別途必要になる。
【０００７】
また、特許文献２の陳列棚においては、商品を載置する棚以外にトレーが設けられているが、トレーが設けられた最下段の棚板を手前に引くと、トレーが手前側に露出してしまい、仮に、トレーに商品を保管したとしても、防犯上十分であるといえない。特に、コンビニエンスストアのカウンタ等に特許文献２のような陳列棚を設置した場合には、陳列棚の手前側から商品を取り出すことが可能であるので、防犯上十分であるといえない。
【０００８】
また、上記従来の年賀状用はがきを袋詰めしたいわゆる年賀状パックの販売方法においては、販売する年賀状パックを陳列棚に陳列しておくので、年賀状パックの盗難が後をたたないという問題がある。
【０００９】
そこで、本考案は、物品、特に、年賀状用はがきに関する陳列具で、物品を別途保管する必要がなく、かつ、防犯機能にも優れている陳列具を提供することを目的とするものである。
【課題を解決するための手段】
【００１０】
本考案は上記問題点を解決するために創作されたものであって、第１には、販売対象の物品のサンプル又は該物品を陳列するとともに、該物品を保管するための陳列保管具（「陳列具」、「陳列・保管具」としてもよい。他においても同じ）で、販売対象の物品のサンプル又は該物品を陳列するための陳列部と、該物品を保管する保管部と、該保管部に保管された物品を該保管部から取り出すのを規制する規制手段と、
を有することを特徴とする。
【００１１】
この第１の構成の陳列保管具においては、陳列部と保管部とが設けられているので、該陳列部に、販売対象の物品のサンプル又は該物品を陳列するとともに、該保管部に販売対象の物品を保管することができる。よって、物品を別途保管する必要がない。また、該規制手段が設けられているので、防犯機能にも優れている。
【００１２】
また、第２には、販売対象の物品のサンプル又は該物品を陳列するとともに、該物品を保管するための陳列保管具で、板状の背面部と、該背面部の両側の端部から正面側に向けて設けられた板状の側面部と、を有する立設部と、該立設部における一対の側面部間に支持された陳列部で、販売対象の物品のサンプル又は該物品を陳列することができる陳列部と、を有する本体部と、販売対象の物品を保管するための保管部で、該本体部内に収納可能な保管部と、を有し、該本体部の背面側には切欠部又は開口部が設けられているとともに、該切欠部又は開口部を開閉する開閉手段が設けられており、該切欠部又は開口部を介して、該保管部を本体部内に収納するとともに本体部から取り出し可能であることを特徴とする。
【００１３】
この第２の構成の陳列保管具は、店頭等に設置して使用する。この陳列保管具においては、本体部に陳列部が設けられているので、該陳列部に、販売対象の物品のサンプル又は販売対象の物品を陳列し、また、保管部が設けられているので、販売対象の物品を保管部に保管しておく。店頭等において、顧客が購入したい物品のサンプルを陳列部から取り出して提示した場合や購入したい物品を特定するための情報を店員に告げた場合には、店員は、対応する物品を保管部から取り出して顧客に渡す。なお、物品を保管部から取り出す場合以外は、保管部を本体部内に収納しておき、開閉手段を閉じた状態としておく。
【００１４】
本考案の陳列保管具においては、保管部が設けられているので、別途保管する必要がない。また、該保管部は、本体部内に収納することができ、また、保管部には開閉手段が設けられているので、保管部を本体部内に収納し、かつ、開閉手段を閉じた状態としておくことにより、盗難を防止することができ、防犯機能に優れた構成とすることができる。
【００１５】
また、第３には、販売対象の物品のサンプル又は該物品を陳列するとともに、該物品を保管するための陳列保管具で、板状の背面部と、該背面部の両側の端部から正面側に向けて設けられた板状の側面部と、を有する立設部と、該立設部における一対の側面部間に支持された陳列部で、販売対象の物品のサンプル又は該物品を陳列することができる陳列部と、該立設部の背面側に設けられた収納部で、切欠部又は開口部が設けられているとともに、該切欠部又は開口部を開閉する開閉手段が設けられている収納部と、を有する本体部と、販売対象の物品を保管するための保管部で、該収納部内に収納可能な保管部と、を有することを特徴とする。
【００１６】
この第３の構成の陳列保管具は、店頭等に設置して使用する。この陳列保管具においては、本体部に陳列部が設けられているので、該陳列部に、販売対象の物品のサンプル又は販売対象の物品を陳列し、また、保管部が設けられているので、販売対象の物品を保管部に保管しておく。店頭等において、顧客が購入したい物品のサンプルを陳列部から取り出して提示した場合や購入したい物品を特定するための情報を店員に告げた場合には、店員は、対応する物品を保管部から取り出して顧客に渡す。なお、物品を保管部から取り出す場合以外は、保管部を収納部内に収納しておき、開閉手段を閉じた状態としておく。
【００１７】
本考案の陳列保管具においては、保管部が設けられているので、別途保管する必要がない。また、該保管部は、収納部内に収納することができ、また、収納部には開閉手段が設けられているので、保管部を本体部内に収納し、かつ、開閉手段を閉じた状態としておくことにより、盗難を防止することができ、防犯機能に優れた構成とすることができる。
【００１８】
また、第４には、上記第２又は第３の構成において、上記立設部の側面部における正面側の辺部が傾斜して形成され、該辺部には所定の間隔を介して複数の溝部が形成されており、また、上記陳列部は、複数の個別陳列棚部からなる陳列棚部を有し、該個別陳列棚部が、板状の正面板部で、その両側に立設部の側面部に設けられた溝部に嵌合するための第１溝部が設けられている正面板部と、該正面板部の下端から奥側に形成された底面板部で、帯状の板状を呈する底面板部と、該底面板部の奥側の端部から上方に向けて設けられた、板状の背面板部で、その両側に立設部の側面部に設けられた溝部に嵌合するための第１溝部が設けられ、その高さ方向の幅が該正面板部の高さ方向の幅よりも大きく形成された背面板部と、を有し、正面板部の両側の溝部と背面板部の両側の溝部が側面部の溝部に嵌合することにより、個別陳列棚部が立設部に支持されていることを特徴とする。これにより、少ない種類の部品点数で陳列部を構成することが可能となる。
【００１９】
また、第５には、上記第４の構成において、上記個別陳列棚部における正面板部と背面板部には、上辺から下方に伸びた第２溝部が１又は複数設けられ、さらに、陳列部には、帯状の板状を呈し、個別陳列棚部における正面板部の第２溝部と背面板部の第２溝部に嵌合するための溝部を有する仕切り部が設けられ、該仕切り部が、該個別陳列棚部における正面板部と底面板部と背面板部とで囲まれた収納空間を仕切るように構成されていることを特徴とする。この仕切り部により、個別陳列棚部における正面板部と底面板部と背面板部とで囲まれた収納空間を仕切ることができ、複数の個別収納部を構成することができる。
【００２０】
また、第６には、上記第１から第５までのいずれかの構成において、上記販売対象の物品が、宛名を記載する面の反対側の面が印刷済みのはがきであることを特徴とする。
【００２１】
また、第７には、販売対象のはがきのサンプル又は該はがきを陳列するとともに、該はがきを保管するための陳列保管具で、１枚の段ボール材等の紙材により形成された立設部で、板状の背面部で、その下端部から上方に伸びた一対の切込み部と、該一対の切込み部の上端間に設けられた折れ線とにより囲まれた蓋部が開閉可能に形成されている背面部と、該背面部の両側の端部から正面側に向けて設けられた板状の側面部で、正面側の辺部が傾斜して形成され、該辺部には所定の間隔を介して複数の溝部が形成された側面部と、を有する立設部と、該立設部における一対の側面部間に支持された陳列部で、陳列棚部と、仕切り部とを有する陳列部で、該陳列棚部が、複数の個別陳列棚部を有し、各個別陳列棚部が、１枚の段ボール材等の紙材により形成されているとともに、各個別陳列棚部が、板状の正面板部で、その両側に、立設部の側面部に設けられた溝部に嵌合するための第１溝部が設けられているとともに、その上辺から下方に伸びた第２溝部が１又は複数設けられた正面板部と、該正面板部の下端から背面側に形成された底面板部で、帯状の板状を呈する底面板部と、該底面板部の背面側の端部から上方に向けて設けられた、板状の背面板部で、その両側に立設部の側面部に設けられた溝部に嵌合するための第１溝部が設けられているとともに、その上辺から下方に伸びた第２溝部が１又は複数設けられた背面板部で、その高さ方向の幅が該正面板部の高さ方向の幅よりも大きく形成された背面板部と、を有し、正面板部の両側の溝部と背面板部の両側の溝部が側面部の溝部に嵌合することにより、個別陳列棚部が立設部に支持されており、該仕切り部が、１枚の段ボール材等の紙材により形成され、帯状の板状を呈し、個別陳列棚部における正面板部の第２溝部と背面板部の第２溝部に嵌合するための溝部を有し、該陳列棚部を構成する個別陳列棚部における正面板部と底面板部と背面板部とで囲まれた収納空間を仕切るように構成された陳列部と、を有する本体部と、該本体部における立設部の背面部に設けられた蓋部から本体部内に収納可能な保管部で、販売対象のはがきを保管するための保管部と、を有することを特徴とする。
【００２２】
この第７の構成の陳列保管具は、店頭等に設置して使用する。この陳列保管具においては、本体部に陳列部が設けられているので、該陳列部に、販売対象の物品のサンプル又は販売対象の物品を陳列し、また、保管部が設けられているので、販売対象の物品を保管部に保管しておく。店頭等において、顧客が購入したい物品のサンプルを陳列部から取り出して提示した場合や購入したい物品を特定するための情報を店員に告げた場合には、店員は、対応する物品を保管部から取り出して顧客に渡す。なお、物品を保管部から取り出す場合以外は、保管部を本体部内に収納しておき、開閉手段を閉じた状態としておく。
【００２３】
本考案の陳列保管具においては、保管部が設けられているので、別途保管する必要がない。また、該保管部は、本体部内に収納することができ、また、保管部には開閉手段が設けられているので、保管部を本体部内に収納し、かつ、開閉手段を閉じた状態としておくことにより、盗難を防止することができ、防犯機能に優れた構成とすることができる。また、立設部や個別陳列棚部や仕切り部は、１枚の段ボール材等の紙材により形成されているので、低コストに形成することができ、また、各部に分解することによりコンパクトにすることができて、省スペースで運搬等を行うことができる。
【００２４】
また、第８には、販売対象のはがきのサンプル又は該はがきを陳列するとともに、該はがきを保管するための陳列保管具で、１枚の段ボール材等の紙材により形成された立設部で、板状の背面部で、その下端部から上方に伸びた一対の切込み部と、該一対の切込み部の上端間に設けられた折れ線とにより囲まれた蓋部が開閉可能に形成されている背面部と、該背面部の両側の端部から正面側に向けて設けられた板状の側面部で、正面側の辺部が傾斜して形成され、該辺部には所定の間隔を介して複数の溝部が形成された側面部と、を有する立設部と、該立設部における一対の側面部間に支持された陳列部で、陳列棚部と、仕切り部とを有する陳列部で、該陳列棚部が、複数の個別陳列棚部を有し、各個別陳列棚部が、１枚の段ボール材等の紙材により形成されているとともに、各個別陳列棚部が、板状の正面板部で、その両側に、立設部の側面部に設けられた溝部に嵌合するための第１溝部が設けられているとともに、その上辺から下方に伸びた第２溝部が１又は複数設けられた正面板部と、該正面板部の下端から背面側に形成された底面板部で、帯状の板状を呈する底面板部と、該底面板部の背面側の端部から上方に向けて設けられた、板状の背面板部で、その両側に立設部の側面部に設けられた溝部に嵌合するための第１溝部が設けられているとともに、その上辺から下方に伸びた第２溝部が１又は複数設けられた背面板部で、その高さ方向の幅が該正面板部の高さ方向の幅よりも大きく形成された背面板部と、を有し、正面板部の両側の溝部と背面板部の両側の溝部が側面部の溝部に嵌合することにより、個別陳列棚部が立設部に支持されており、該仕切り部が、１枚の段ボール材等の紙材により形成され、帯状の板状を呈し、個別陳列棚部における正面板部の第２溝部と背面板部の第２溝部に嵌合するための溝部を有し、該陳列棚部を構成する個別陳列棚部における正面板部と底面板部と背面板部とで囲まれた収納空間を仕切るように構成された陳列部と、該立設部の背面部に固定して設けられた収納部で、板状の底面部と、該底面部の両端から立設して設けられた一対の側面部と、該一対の側面部の上端間に設けられた上面部とを有するスリーブ状部と、該スリーブ状部の一対の側面部における各側面部に設けられた扉部で、側面部に対して回動可能に設けられた扉部と、を有する収納部と、を有する本体部と、該収納部内に収納可能な保管部で、販売対象のはがきを保管するための保管部と、を有することを特徴とする。
【００２５】
この第８の構成の陳列保管具は、店頭等に設置して使用する。この陳列保管具においては、本体部に陳列部が設けられているので、該陳列部に、販売対象の物品のサンプル又は販売対象の物品を陳列し、また、保管部が設けられているので、販売対象の物品を保管部に保管しておく。店頭等において、顧客が購入したい物品のサンプルを陳列部から取り出して提示した場合や購入したい物品を特定するための情報を店員に告げた場合には、店員は、対応する物品を保管部から取り出して顧客に渡す。なお、物品を保管部から取り出す場合以外は、保管部を収納部内に収納しておき、開閉手段を閉じた状態としておく。
【００２６】
本考案の陳列保管具においては、保管部が設けられているので、別途保管する必要がない。また、該保管部は、収納部内に収納することができ、また、収納部には開閉手段が設けられているので、保管部を本体部内に収納し、かつ、開閉手段を閉じた状態としておくことにより、盗難を防止することができ、防犯機能に優れた構成とすることができる。また、立設部や個別陳列棚部や仕切り部は、１枚の段ボール材等の紙材により形成されているので、低コストに形成することができ、また、各部に分解することによりコンパクトにすることができて、省スペースで運搬等を行うことができる。
【００２７】
また、第９には、上記第１から第８までのいずれかの構成において、上記保管部が、箱状を呈することを特徴とする。この箱状としては、方形状の底面部と該底面部の端部から立設した二対の側面部とを有する構成とするのが好ましく、さらに、蓋部を有する構成とすることが好ましい。
【００２８】
また、第１０には、上記第１から第８までのいずれかの構成において、上記保管部が、板状の背面部と、該背面部の両側の端部から正面側に向けて設けられた板状の側面部と、を有する立設部と、該立設部における一対の側面部間に支持された陳列部と、を有し、該陳列部に物品を陳列することができることを特徴とする。これにより、物品を陳列した状態で保管できるので、所望の物品を即座に取り出すことが可能となる。
【００２９】
なお、第１０の構成を以下のようにしてもよい。すなわち、「上記保管部が、１枚の段ボール材等の紙材により形成された立設部で、板状の背面部で、その下端部から上方に伸びた一対の切込み部と、該一対の切込み部の上端間に設けられた折れ線とにより囲まれた蓋部が開閉可能に形成されている背面部と、該背面部の両側の端部から正面側に向けて設けられた板状の側面部で、正面側の辺部が傾斜して形成され、該辺部には所定の間隔を介して複数の溝部が形成された側面部と、を有する立設部と、該立設部における一対の側面部間に支持された陳列部で、陳列棚部と、仕切り部とを有する陳列部で、該陳列棚部が、複数の個別陳列棚部を有し、各個別陳列棚部が、１枚の段ボール材等の紙材により形成されているとともに、各個別陳列棚部が、板状の正面板部で、その両側に立設部の側面部に設けられた溝部に嵌合するための第１溝部が設けられているとともに、その上辺から下方に伸びた第２溝部が１又は複数設けられた正面板部と、該正面板部の下端から背面側に形成された底面板部で、帯状の板状を呈する底面板部と、該底面板部の背面側の端部から上方に向けて設けられた、板状の背面板部で、その両側に立設部の側面部に設けられた溝部に嵌合するための第１溝部が設けられているとともに、その上辺から下方に伸びた第２溝部が１又は複数設けられた背面板部で、その高さ方向の幅が該正面板部の高さ方向の幅よりも大きく形成された背面板部と、を有し、正面板部の両側の溝部と背面板部の両側の溝部が側面部の溝部に嵌合することにより、個別陳列棚部が立設部に支持されており、該仕切り部が、１枚の段ボール材等の紙材により形成され、帯状の板状を呈し、個別陳列棚部における正面板部の第２溝部と背面板部の第２溝部に嵌合するための溝部を有し、該陳列棚部を構成する個別陳列棚部における正面板部と底面板部と背面板部とで囲まれた収納空間を仕切るように構成された陳列部と、を有し、該陳列部に物品を陳列することができることを特徴とする。」ものとしてもよい。
【００３０】
また、上記の各構成において、「はがき」は、宛名を記載する面の反対側の面が印刷済みのはがきとするのが好ましく、特に、年賀状用はがきであることが好ましい。
【考案の効果】
【００３１】
本考案に基づく陳列保管具によれば、物品、特に、年賀状用はがきのサンプル又は該物品を陳列するとともに、該物品を保管することができるので、物品を別途保管する必要がない。また、規制手段が設けられている場合や、保管部を本体部内に収納でき、かつ、開閉手段（又は蓋部）が設けられている場合や、保管部を収納部内に収納でき、かつ、開閉手段（又は扉部）が設けられている場合等により、物品の盗難を防止することができ、防犯機能に優れた構成とすることができる。
【考案を実施するための最良の形態】
【００３２】
本考案においては、物品、特に、年賀状用はがきに関する陳列具で、物品を別途保管する必要がなく、かつ、防犯機能にも優れている陳列具を提供するという目的を以下のようにして実現した。
【実施例１】
【００３３】
本考案に基づく陳列保管具Ａ１は、図１〜図８に示されるように構成され、本体部１と、箱部（保管部）８０とを有している。
【００３４】
なお、各図において、一点鎖線は山折りを示し、二点鎖線は谷折りを示す。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００３５】
ここで、本体部１は、立設部１０と、陳列部４０とを有している。この立設部１０は、平面視においては略コ字状を呈し、その展開状態は、図５に示すように形成され、背面部１２と、側面部１４と、側面部２４とを有している。立設部１０は、１枚の板状部材（具体的には、段ボール材等の紙材）から形成されている。
【００３６】
この背面部１２は、板状を呈し、背面本体部１２ａと、蓋部１２ｂとを有している。この背面本体部１２ａは、略方形状の上側部１２ａ−１と該上側部１２ａ−１の下端の両側から下方に伸びた縦長略方形状の下側部１２ａ−２とを合わせた形状を呈していて、略方形状の形状の下端の中央部分に切欠部を設けた形状を呈している。この背面本体部１２ａの上側の中央付近には開口部１２ｃが設けられている。この開口部１２ｃは、略長方形状の横方向に幅狭の開口部１２ｃ−１と該開口部１２ｃ−１の下端から連設された開口部１２ｃ−２で、横方向に幅広の開口部１２ｃ−２とを有し、全体に扁平な凸状を呈している。
【００３７】
また、蓋部１２ｂは、背面本体部１２ａに設けられた切欠部を開閉するように設けられ、蓋部本体１２ｂ−１と、係止部１２ｂ−２とを有している。この蓋部本体１２ｂ−１は、上側部１２ａ−１の下端から折れ線を介して連設され、両側の下側部１２ａ−２とは波状の切込み線を介して隣接している。つまり、蓋部本体１２ｂ−１は、平行な直線状の辺部と波状の辺部とで囲まれた形状となっている。また、係止部１２ｂ−２は、蓋部本体１２ｂ−１の下端から突出して折れ線を介して連設されている。この係止部１２ｂ−２は、蓋部本体１２ｂ−１側の幅狭部と、先端側の幅広部とで形成され、この幅広部は、開口部１２ｃ−２は挿通するが、開口部１２ｃ−１は挿通できない幅（図５における横方向の幅）に形成されていて、また、幅狭部は、開口部１２ｃ−１を挿通する幅に形成されている。なお、蓋部１２ｂは、上記規制手段や上記開閉手段（つまり、本体部の背面側に設けられた切欠部を開閉する開閉手段）として機能する。なお、背面本体部１２ａは、略方形状の形状の下端の中央部分に切欠部を設けた形状を呈しているとして説明したが、切欠部の代わりに開口部としてもよい。つまり、背面部１２の下端を枠状に残して開口部とし、該開口部を蓋部により開閉するようにしてもよい。
【００３８】
また、側面部１４は、側面本体部１６と、突状部１８ａ〜１８ｆとを有している。この側面本体部１６は、背面本体部１２ａの側部から折れ線を介して連設されていて、水平方向の直線状の一対の辺部と、背面本体部１２ａとの境界と、斜めに傾斜した直線状の辺部とで囲まれた台形形状を呈している。
【００３９】
また、突状部１８ａ〜１８ｆは、側面本体部１６における該斜めに傾斜した直線状の辺部から斜め上方に突出して形成されている。突状部１８ａ〜１８ｆは、上側から順に下方に形成されている。突状部１８ａは、側面本体部１６の上端部との間に溝部２０を介して形成され、突状部１８ｂは、突状部１８ａとの間に溝部２０を介して形成され、突状部１８ｃは、突状部１８ｂとの間に溝部２０を介して形成され、突状部１８ｄは、突状部１８ｃとの間に溝部２０を介して形成され、突状部１８ｅは、突状部１８ｄとの間に溝部２０を介して形成され、突状部１８ｆは、突状部１８ｅとの間に溝部２０を介して形成されている。この側面部１４における溝部２０は、個別陳列棚部４２における溝部４７ａ、５７ａと嵌合し合うことにより、個別陳列棚部４２が側面部１４に係止する。つまり、溝部２０が、側面部１４における傾斜した側部に沿って所定の間隔を介して複数設けられているといえる。
【００４０】
また、側面部２４は、背面部１２における縦方向の中心線を介して線対称に形成されている。すなわち、側面部２４は、側面本体部２６と、突状部２８ａ〜２８ｆとを有している。この側面本体部２６は、背面本体部１２ａの側部から折れ線を介して連設されていて、水平方向の直線状の一対の辺部と、背面本体部１２ａとの境界と、斜めに傾斜した直線状の辺部とで囲まれた台形形状を呈している。
【００４１】
また、突状部２８ａ〜２８ｆは、側面本体部２６における該斜めに傾斜した直線状の辺部から斜め上方に突出して形成されている。突状部２８ａ〜２８ｆは、上側から順に下方に形成されている。突状部２８ａは、側面本体部２６の上端部との間に溝部３０を介して形成され、突状部２８ｂは、突状部２８ａとの間に溝部３０を介して形成され、突状部２８ｃは、突状部２８ｂとの間に溝部３０を介して形成され、突状部２８ｄは、突状部２８ｃとの間に溝部３０を介して形成され、突状部２８ｅは、突状部２８ｄとの間に溝部３０を介して形成され、突状部２８ｆは、突状部２８ｅとの間に溝部３０を介して形成されている。この側面部２４における溝部３０は、個別陳列棚部４２における溝部４７ｂ、５７ｂと嵌合し合うことにより、個別陳列棚部４２が側面部２４に係止する。つまり、溝部３０が、側面部２４における傾斜した側部に沿って所定の間隔を介して複数設けられているといえる。
【００４２】
次に、陳列部４０は、複数の個別陳列棚部４２からなる陳列棚部４１と、仕切り部７０とを有している。
【００４３】
ここで、個別陳列棚部４２は、側面視において略コ字状を呈し、その展開状態は、図６に示すように形成され、正面部（正面板部）４４と、底面部（底面板部）５２と、背面部（背面板部）５４とを有している。個別陳列棚部４２は、１枚の板状部材（具体的には、段ボール材等の紙材）から形成されている。
【００４４】
この正面部４４は、正面部本体４５と、突状部４６ａ、４６ｂを有していて、正面部本体４５は、略方形状（横方向に細長い略方形状）の下辺（略コ字状に組み立てた状態では上辺）に沿って、所定の間隔に溝部（第２溝部）４８ａ〜４８ｃが設けられ、また、所定の間隔に切欠部５０ａ〜５０ｄが設けられている。溝部４８ａ〜４８ｃは、帯状を呈し、また、切欠部５０ａ〜５０ｄは、円弧状を呈している。溝部４８ａ〜４８ｃと切欠部５０ａ〜５０ｄとは該下辺に沿って交互に設けられている。溝部４８ａ〜４８ｃは縦方向（Ｙ１−Ｙ２方向（図６参照））に設けられている。
【００４５】
また、正面部本体４５の両側には、突状部４６ａと突状部４６ｂとが設けられ、突状部４６ａ、４６ｂとはともに上側に屈曲した略Ｌ字状に形成されている（略コ字状に組み立てた状態では下側に屈曲した略Ｌ字状となる）。これにより、突状部４６ａと正面部本体４５の一方の側辺との間には溝部（第１溝部）４７ａが形成され、また、突状部４６ｂと正面部本体４５の他方の側辺との間には溝部（第１溝部）４７ｂが形成されている。
【００４６】
また、底面部５２は、正面部本体４５の上辺から折れ線を介して連設され、帯状に形成されている。
【００４７】
また、背面部５４は、背面部本体５５と、突状部５６ａ、５６ｂを有していて、背面部本体５５は、底面部５２の上辺から折れ線を介して連設され、略方形状（横方向に細長い略方形状）の上辺（略コ字状に組み立てた状態でも上辺）に沿って、所定の間隔に溝部（第２溝部）５８ａ〜５８ｃが設けられ、また、所定の間隔に切欠部６０ａ〜６０ｄが設けられている。溝部５８ａ〜５８ｃは、帯状を呈し、また、切欠部６０ａ〜６０ｄは、円弧状を呈している。溝部５８ａ〜５８ｃと切欠部６０ａ〜６０ｄは該上辺に沿って交互に設けられている。溝部５８ａ〜５８ｃは縦方向（Ｙ１−Ｙ２方向（図６参照））に設けられている。なお、背面部本体５５の高さ方向の幅（つまり、背面部本体５５の高さ方向の最大幅）は、正面部本体４５の高さ方向の幅（つまり、正面部本体４５の高さ方向の最大幅）よりも大きく形成されている。つまり、背面部５４の高さ方向の幅が、正面部４４の高さ方向の幅よりも大きく形成されている。
【００４８】
また、背面部本体５５の両側には、突状部５６ａと突状部５６ｂとが設けられ、突状部５６ａ、５６ｂとはともに下側に屈曲した略Ｌ字状に形成されている。これにより、突状部５６ａと背面部本体５５の一方の側辺との間には溝部（第１溝部）５７ａが形成され、また、突状部５６ｂと背面部本体５５の他方の側辺との間には溝部（第１溝部）５７ｂが形成されている。
【００４９】
なお、図６において、正面部４４と底面部５２間の境界や底面部５２と背面部５４間の境界は、Ｘ１−Ｘ２方向を向いている。また、正面部４４、底面部５２、背面部５４の両側（Ｘ１側とＸ２側）の辺部は、Ｙ１−Ｙ２方向を向いている。
【００５０】
各個別陳列棚部４２は、立設部１０に対して嵌合させることにより設けられている。つまり、個別陳列棚部４２の溝部４６ａ、５６ａを側面部１４の溝部２０に嵌合し合うようにするとともに、溝部４６ｂ、５６ｂを側面部２４の溝部３０に嵌合し合うようにすることにより、個別陳列棚部４２が立設部１０に係止されて設けられている。なお、最下端の個別陳列棚部４２は、下から１番目と２番目の溝部２０、３０に係止され、また、下から２番目の個別陳列棚部４２は、下から２番目と３番目の溝部２０、３０に係止され、また、下から３番目の個別陳列棚部４２は、下から３番目と４番目の溝部２０、３０に係止され、また、下から４番目の個別陳列棚部４２は、下から４番目と５番目の溝部２０、３０に係止され、また、下から５番目（つまり、上から１番目）の個別陳列棚部４２は、下から５番目と６番目の溝部２０、３０に係止されている（下から６番目の溝部２０、３０は、上から１番目の溝部２０、３０となる）。よって、溝部２０のうち、最も下位置の溝部と最も上位置の溝部以外の各溝部２０には、１つの個別陳列棚部４２における溝部４７ａと他の個別陳列棚部４２における溝部５７ａの２つの溝部が嵌合し、また、同じく、溝部３０のうち、最も下位置の溝部と最も上位置の溝部以外の各溝部３０には、１つの個別陳列棚部４２における溝部４７ｂと他の個別陳列棚部４２における溝部５７ｂの２つの溝部が嵌合することになる。これにより、隣接する個別陳列棚部４２は、互いに接した状態で設けられている。
【００５１】
なお、背面部１２は、図１、図２に示すように、最上位置の個別陳列棚部４２の上端よりも突出した状態となっており、この突出した領域に、広告等を表示することが可能となる。なお、図２は、本体部１の後方斜視図であるが、陳列保管具Ａ１として使用する場合には、箱部８０が内部に収納されることになる。
【００５２】
また、仕切り部７０は、図７に示すように形成され、本体部７２と、突状部７４ａ〜７４ｇとを有している。ここで、本体部７２は、細長の平行四辺形（帯状としてもよい）を呈し、本体部７２の長辺は垂直方向（Ｙ１−Ｙ２方向）に対して斜めに設けられている。また、突状部７４ａは、本体部７２の側方の上端位置に設けられ、三角形状と略方形状とを合わせた形状を呈している。また、突状部７４ｂは、本体部７２の側方の突状部７４ａの位置よりも下側に設けられ、下方（Ｙ１方向（垂直方向））に突出した形状を呈しており、具体的には、三角形状と方形状を合わせた形状を呈している。この突状部７４ｂの図７における右側の辺部は垂直方向を向いており、また、下側の辺部は水平方向を向いている。また、突状部７４ｃは、本体部７２の側方の突状部７４ｂの位置よりも下側に設けられ、また、突状部７４ｄは、本体部７２の側方の突状部７４ｃの位置よりも下側に設けられ、また、突状部７４ｅは、本体部７２の側方の突状部７４ｄの位置よりも下側に設けられ、また、突状部７４ｆは、本体部７２の側方の突状部７４ｅの位置よりも下側に設けられている。突状部７４ｃ、７４ｄ、７４ｅ、７４ｆの形状は、上記突状部７４ｂと同様であるので、詳しい説明を省略する。また、突状部７４ｇは、本体部７２の下側の端部から下方（Ｙ１方向（垂直方向））に突出した形状を呈しており、具体的には、方形状（厳密には台形形状）を呈している。
【００５３】
また、突状部７４ａ〜７４ｇにおける互いに隣接し合う突状部間には、溝部７６が形成されている。この溝部７６は、縦長の長方形状を呈し、垂直方向（Ｙ１−Ｙ２方向）を向いている。なお、仕切り部７０は、１枚の板状部材（具体的には、段ボール材等の紙材）から形成されている。
【００５４】
仕切り部７０は、陳列棚部４１に嵌合して設けられている。つまり、陳列棚部４１には、図１に示すように、計３つの仕切り部７０が設けられていて、正面視における右側の仕切り部７０は、仕切り部７０における各溝部が、個別陳列棚部４２における溝部４８ａ、５８ａに嵌合している。なお、仕切り部７０における最上位置の溝部７６（突状部７４ａと突状部７４ｂ間の溝部７６）は、最上位置の個別陳列棚部４２における溝部５８ａと嵌合し合い、仕切り部７０における最下位置の溝部７６（突状部７４ｆと突状部７４ｇ間の溝部７６）は、最下位置の個別陳列棚部４２における溝部４８ａと嵌合し合っているが、正面視における右側の仕切り部７０における他の溝部７６については、各溝部７６が、溝部４８ａ及び溝部５８ａと嵌合し合っている。
【００５５】
また、同様に、正面視における中央の仕切り部７０は、仕切り部７０における各溝部が、個別陳列棚部４２における溝部４８ｂ、５８ｂに嵌合している。なお、仕切り部７０における最上位置の溝部７６（突状部７４ａと突状部７４ｂ間の溝部７６）は、最上位置の個別陳列棚部４２における溝部５８ｂと嵌合し合い、仕切り部７０における最下位置の溝部７６（突状部７４ｆと突状部７４ｇ間の溝部７６）は、最下位置の個別陳列棚部４２における溝部４８ｂと嵌合し合っているが、正面視における中央の仕切り部７０における他の溝部７６については、各溝部７６が、溝部４８ｂ及び溝部５８ｂと嵌合し合っている。
【００５６】
また、同様に、正面視における左側の仕切り部７０は、仕切り部７０における各溝部が、個別陳列棚部４２における溝部４８ｃ、５８ｃに嵌合している。なお、仕切り部７０における最上位置の溝部７６（突状部７４ａと突状部７４ｂ間の溝部７６）は、最上位置の個別陳列棚部４２における溝部５８ｃと嵌合し合い、仕切り部７０における最下位置の溝部７６（突状部７４ｆと突状部７４ｇ間の溝部７６）は、最下位置の個別陳列棚部４２における溝部４８ｃと嵌合し合っているが、正面視における左側の仕切り部７０における他の溝部７６については、各溝部７６が、溝部４８ｃ及び溝部５８ｃと嵌合し合っている。
【００５７】
この仕切り部７０は、図１に示すように陳列棚部４１に係止した状態では、個別陳列棚部４２において正面部４４と底面部５２と背面部５４とで囲まれる収納空間を仕切るように構成される。
【００５８】
以上のように陳列部４０は、該立設部１０における一対の側面部１４、２４間に支持されていて、販売対象の物品のサンプル又は該物品を陳列することができるものである。
【００５９】
次に、箱部８０は、図４に示すように箱状を呈し、底面部８２（図４では図示せず）と、側面部８４ａ〜８４ｄと、蓋部８６と、突出片部９０、９２とを有している。
【００６０】
この箱部８０の展開状態を示すと図８に示すように構成され、箱部８０は１枚の板状部材（具体的には、段ボール材等の紙材）から形成されている。この箱部８０は、底面部８２は、片部８２ａと片部８２ｂと片部８２ｃと片部８２ｄを組み合わせることにより構成され、Ｂ式底組みと呼ばれる構成となっている。なお、このＢ式底組みは、アメリカンロックや地獄底とも呼ばれている。
【００６１】
また、側面部８４ａ〜８４ｄは、ともに方形状を呈し、互いに平行な二対の側面部を形成している。なお、箱部８０の組立て状態では、側面部８４ａと側面部８４ｃとが互いに平行となり、側面部８４ｂと側面部８４ｄとが互いに平行となっているが、側面部８４ｃの高さ方向の幅は、側面部８４ａの高さ方向の幅よりも小さく形成されている。これにより、箱部８０の手前側が開口した構成となり、箱部８０に収納された物品を取り出しやすくなる。なお、側面部８４ｃには、略コ字状の切込み部９４ａと、略半円形状の開口部９４ｂが設けられていて、開口部９４ｂの直線状の辺部は、切込み部９４ａにおける真ん中の切込みと共有している。
【００６２】
また、蓋部８６は、側面部８４ａの上端から折れ線を介して連設されていて、本体部８８と、先端片部８９とを有している。また、この先端片部８９は、略長方形状の先端片部本体８９ａと、その先端に設けられた先端部８９ｂとを有している。この先端部８９ｂは、切込み部９４ａに挿入するためのものである。先端部８９ｂを切込み部９４ａに挿通して蓋部８６を閉じた状態では、本体部８８は底面部８２と略平行となり、また、先端片部８９は垂直方向となる。また、突出片部９０は、側面部８４ｂの上端から折れ線を介して連設され、また、突出片部９２は、側面部８４ｄの上端から折れ線を介して連設されてる。
【００６３】
なお、箱部８０における側面部８４ａは、立設部１０の背面部１２の下側に設けられた切欠部よりも小さく形成されていて、蓋部１２ｂを開けた状態で、箱部８０を本体部１の内部に収納できるようになっている。なお、本体部１内の収納空間は、箱部８０を収納可能な大きさに形成されていて、その奥行方向（Ｙ１−Ｙ２）方向においても、箱部８０を収納するのに十分な大きさを有している。つまり、本体部１内の収納空間の下部における奥行方向の長さは、箱部８０の奥行方向の長さ（つまり、側面部８４ｂ、８４ｄの横方向の幅）よりも大きく形成されている。
【００６４】
上記構成の陳列保管具Ａ１の使用状態について説明する。この陳列保管具Ａ１は、年賀状用はがき（以下単に「はがき」とする場合もある）（物品）について使用するものである。つまり、宛名を記載する面の反対側の面が印刷済みの年賀状用はがきについて使用する。なお、年賀状用はがき以外のはがき（例えば、暑中見舞いはがき）について使用してもよく、また、はがき以外の物品に使用してもよい。
【００６５】
陳列保管具Ａ１における陳列部４０には、各個別陳列棚部４２において仕切り部７０により仕切られた個別収納部Ｓが複数（図１の例では、２０個の個別収納部）設けられる（各個別収納部Ｓの大きさは同じ大きさである）ので、各個別収納部Ｓに年賀状用はがきのサンプルＴを収納して陳列する。複数種類のサンプルがある場合には、各種類ごとにサンプルを個別収納部Ｓに収納する。なお、年賀状用はがきのサンプルではなく、実際に販売する年賀状用はがきの実物を陳列してもよい。
【００６６】
また、箱部８０には、陳列するサンプルに対応する年賀状用はがきＵを収納しておく。この箱部８０に収納される年賀状用はがきが実際に販売するはがきとなる。年賀状用はがきとしては、例えば、複数枚でセットにしてパック封入されたものとする。
【００６７】
なお、陳列部４０に陳列するサンプルに番号を付しておき、箱部８０には、各番号を付したインデックスＤとともに、販売する年賀状用はがきを保管しておくことが好ましい。このようにすることにより、サンプルに対応するはがきを即座に取り出すことが可能となる。
【００６８】
陳列保管具Ａ１は、例えば、コンビニエンスストア等のレジのカウンタ等に設置しておく。そして、本体部１における陳列部４０側（Ｙ１側）を顧客側とし、本体部１における背面部１２側をレジ内の店員側として設置する。そして、通常は、箱部８０は本体部１内に収納して、蓋部１２ｂを閉じた状態としておく。なお、その際、箱部８０の蓋部８６は、上方を向いた状態で本体部１内に収納しておくことが好ましい。このようにすることにより、箱部８０からはがきを取り出す場合に、箱部８０の蓋部８６を一々開ける必要がない。そして、顧客が購入しようとするサンプルを陳列部４０から取り出してレジ内の店員に提示した場合には、店員は、蓋部１２ｂを開けて、蓋部１２ｂの係止部１２ｂ−２を開口部１２ｃに係止させて蓋部１２ｂが開いた状態を維持させて、箱部８０を本体部１内から引き出す。そして、提示されたサンプルに対応するはがきを取り出して顧客に渡して代金を受け取る。はがきの取り出しが完了したら、再び箱部８０を本体部１内に収納して、蓋部１２ｂの係止部１２ｂ−２が開口部１２ｃに係止している状態を解除して、蓋部１２ｂを閉めた状態とする。なお、蓋部１２ｂの両側は、波状の切込みによって下側部１２ａ−２と接しているので、蓋部１２ｂが下側部１２ａ−２と係止しやすく、蓋部１２ｂが閉じた状態を容易に維持しておくことができる。なお、箱部８０の蓋部８６を閉じた状態で本体部１内に収納しておき、箱部８０からはがきを取り出す場合には、蓋部１２ｂを開けて、箱部８０を本体部１から引き出し、箱部８０の蓋部８６を開けてはがきを取り出す。そして、箱部８０の蓋部８６を閉じて本体部１内に収納して、蓋部１２ｂを閉める。
【００６９】
また、コンビニエンスストアを閉店する際には、箱部８０を本体部１内から取り出して、別の場所（金庫等）に保管しておくことが好ましい。その際、箱部８０には蓋部８６が設けられているので、容易に保管しておくことが可能となる。
【００７０】
以上のように、本実施例の陳列保管具Ａ１においては、はがきを保管する箱部８０を本体部１内に収納することができるので、はがきを別途保管する必要がない。すなわち、別途保管する場合には、はがきを取り出すのに時間が掛かり、レジにおける対応に時間が掛かるが、本実施例の場合には、はがきを即座に取り出すことができ、レジにおける対応を迅速に行うことができる。また、本実施例の陳列保管具Ａ１においては、はがきを取り出す場合以外は、箱部８０を本体部１内に収納して蓋部１２ｂを閉じた状態としておくことができるので、盗難を防止することができ、防犯に優れている。つまり、例えば、箱部８０が本体部１の背面側に単に置かれている場合には、顧客が本体部１の後ろに手を伸ばすことによりはがきを盗難することが可能となってしまうが、本実施例の場合には、箱部８０を本体部１内に収納して蓋部１２ｂを閉めた状態にしておくことができるので、顧客が本体部１の後ろに手を伸ばしたのみでは盗難を行うことができず、盗難を十分防止することができる。
【００７１】
なお、上記実施例１の陳列保管具Ａ１において、蓋部１２ｂが上下方向に回動して開閉するものであるとして説明したが、これには限られず、背面部１２に設けられた開口部又は切欠部を開閉するものであれば、他の構成であってもよい。例えば、横方向に回動して開閉するものであってもよく、また、実施例２のように、観音開き状に開閉するものでもよい。また、蓋部１２ｂの代わりに、背面部１２の切欠部を覆うようにシート状部材を設けるようにしてもよい。
【００７２】
また、上記の説明では、本体部１内に箱部８０を収納するものとしたが、はがきを保管できるものであれば、他の構成であってもよい。例えば、実施例２に示す保管棚部２０５のような構成のものでもよい。
【００７３】
また、箱部８０は、図４等に示すように、蓋部８６が設けられたものであるとしたが、蓋部が設けられておらず、底面部と４つの側面部とからなる箱部（第１箱部）としてもよい。なお、その際には、該箱部を収納する別の箱部で蓋部が設けられた箱部（第２箱部）を用意しておき、閉店時には、第１箱部を第２箱部内に収納して保管するようにしてもよい。
【実施例２】
【００７４】
次に、第２実施例について説明する。本考案に基づく陳列保管具Ａ２は、図９〜図１６に示されるように構成され、本体部１０１と、保管棚部（保管部）２０５とを有している。
【００７５】
なお、各図において、一点鎖線は山折りを示し、二点鎖線は谷折りを示す。なお、図面において、Ｙ１−Ｙ２方向は、Ｘ１−Ｘ２方向に直角な方向であり、Ｚ１−Ｚ２方向は、Ｘ１−Ｘ２方向及びＹ１−Ｙ２方向に直角な方向である。
【００７６】
ここで、本体部１０１は、立設部１１０と、陳列部１４０と、収納部１８０とを有している。この立設部１１０は、平面視においては略コ字状を呈し、その展開状態は、図１２に示すように形成され、背面部１１２と、側面部１１４と、側面部１２４とを有している。立設部１１０は、１枚の板状部材（具体的には、段ボール材等の紙材）から形成されている。この立設部１１０は、上記実施例１における立設部１０と略同様の構成であるが、立設部１０とは異なり、蓋部は設けられていない。
【００７７】
すなわち、背面部１１２は、方形状の板状を呈している。実施例１の立設部１０とは異なり、背面部１１２には、蓋部は設けられていない。
【００７８】
また、側面部１１４は、側面本体部１１６と、突状部１１８ａ〜１１８ｆとを有している。この側面本体部１１６は、背面部１１２の側部から折れ線を介して連設されていて、略三角形状を呈している。つまり、背面部１１２との境界と、該境界に対して直角な底辺と、斜めに傾斜した直線状の辺部とで囲まれた略三角形状を呈している。
【００７９】
また、突状部１１８ａ〜１８ｆは、側面本体部１１６における該斜めに傾斜した直線状の辺部から斜め上方に突出して形成されている。突状部１１８ａ〜１１８ｆは、上側から順に下方に形成されている。突状部１１８ａは、側面本体部１１６の上端部との間に溝部１２０を介して形成され、突状部１１８ｂは、突状部１１８ａとの間に溝部１２０を介して形成され、突状部１１８ｃは、突状部１１８ｂとの間に溝部１２０を介して形成され、突状部１１８ｄは、突状部１１８ｃとの間に溝部１２０を介して形成され、突状部１１８ｅは、突状部１１８ｄとの間に溝部１２０を介して形成され、突状部１１８ｆは、突状部１１８ｅとの間に溝部１２０を介して形成されている。この側面部１１４における溝部１２０は、個別陳列棚部１４２における溝部１４７ａ、１５７ａと嵌合し合うことにより、個別陳列棚部１４２が側面部１１４に係止する。つまり、溝部１２０が、側面部１１４における傾斜した側部に沿って所定の間隔を介して複数設けられているといえる。なお、図１２に示すように、背面部１１２と突状部１１８ａとの間には、背面部１１２から側方に突出した突状部１１２ａが形成され、突状部１１２ａと突状部１１８ａ間には、略Ｌ字状の切込みが形成されることにより、側面部１１４を背面部１１２に対して直角な方向とすることにより、溝部１２０が形成される。
【００８０】
また、側面部１２４は、背面部１１２における縦方向の中心線を介して線対称に形成されている。すなわち、側面部１２４は、側面本体部１２６と、突状部１２８ａ〜１２８ｆとを有している。この側面本体部１２６は、背面部１１２の側部から折れ線を介して連設されていて、略三角形状を呈している。つまり、背面部１１２との境界と、該境界に対して直角な底辺と、斜めに傾斜した直線状の辺部とで囲まれた略三角形状を呈している。
【００８１】
また、突状部１２８ａ〜１２８ｆは、側面本体部１２６における該斜めに傾斜した直線状の辺部から斜め上方に突出して形成されている。突状部１２８ａ〜１２８ｆは、上側から順に下方に形成されている。突状部１２８ａは、側面本体部１２６の上端部との間に溝部１３０を介して形成され、突状部１２８ｂは、突状部１２８ａとの間に溝部１３０を介して形成され、突状部１２８ｃは、突状部１２８ｂとの間に溝部１３０を介して形成され、突状部１２８ｄは、突状部１２８ｃとの間に溝部１３０を介して形成され、突状部１２８ｅは、突状部１２８ｄとの間に溝部１３０を介して形成され、突状部１２８ｆは、突状部１２８ｅとの間に溝部１３０を介して形成されている。この側面部１２４における溝部１３０は、個別陳列棚部１４２における溝部１４７ｂ、１５７ｂと嵌合し合うことにより、個別陳列棚部１４２が側面部１２４に係止する。つまり、溝部１３０が、側面部１２４における傾斜した側部に沿って所定の間隔を介して複数設けられているといえる。なお、図１２に示すように、背面部１１２と突状部１２８ａとの間には、背面部１１２から側方に突出した突状部１１２ｂが形成され、突状部１１２ｂと突状部１２８ａ間には、略逆Ｌ字状の切込みが形成されることにより、側面部１２４を背面部１１２に対して直角な方向とすることにより、溝部１３０が形成される。
【００８２】
なお、この実施例２における立設部１１０の側面部１１４、１２４においては、背面部１１２との境界をなす側辺に対する底辺の長さが短く形成されていて、これに伴い、側面部１１４、１２４における傾斜辺部（図９におけるＹ１側の辺部）の底辺に対する角度は、側面部１４、２４の場合よりも大きくなっている。つまり、実施例２では、立設部１１０の内側に収納空間は必要ないため、傾斜辺部の底辺に対する角度は大きくなっていて、これにより、陳列部１４０の正面側も陳列部４０よりも急斜となっている。
【００８３】
次に、陳列部１４０は、複数の個別陳列棚部１４２からなる陳列棚部１４１と、仕切り部１７０とを有している。この陳列部１４０の構成は上記陳列部４０と同様の構成である。
【００８４】
ここで、個別陳列棚部１４２は、側面視において略コ字状を呈し、その展開状態は、図１３に示すように形成され、正面部（正面板部）１４４と、底面部（底面板部）１５２と、背面部（背面板部）１５４とを有している。個別陳列棚部１４２は、１枚の板状部材（具体的には、段ボール材等の紙材）から形成されている。
【００８５】
この正面部１４４は、正面部本体１４５と、突状部１４６ａ、１４６ｂを有していて、正面部本体１４５は、略方形状（横方向に細長い略方形状）の下辺（略コ字状に組み立てた状態では上辺）に沿って、所定の間隔に溝部（第２溝部）１４８ａ〜１４８ｃが設けられ、また、所定の間隔に切欠部１５０ａ〜１５０ｄが設けられている。溝部１４８ａ〜１４８ｃは、帯状を呈し、また、切欠部１５０ａ〜１５０ｄは、円弧状を呈している。溝部１４８ａ〜１４８ｃと切欠部１５０ａ〜１５０ｄとは該下辺に沿って交互に設けられている。溝部１４８ａ〜１４８ｃは縦方向（Ｙ１−Ｙ２方向（図１３参照））に設けられている。
【００８６】
また、正面部本体１４５の両側には、突状部１４６ａと突状部１４６ｂとが設けられ、突状部１４６ａ、１４６ｂとはともに上側に屈曲した略Ｌ字状に形成されている（略コ字状に組み立てた状態では下側に屈曲した略Ｌ字状となる）。これにより、突状部１４６ａと正面部本体１４５の一方の側辺との間には溝部（第１溝部）１４７ａが形成され、また、突状部１４６ｂと正面部本体１４５の他方の側辺との間には溝部（第１溝部）１４７ｂが形成されている。
【００８７】
また、底面部１５２は、正面部本体１４５の上辺から折れ線を介して連設され、帯状に形成されている。
【００８８】
また、背面部１５４は、背面部本体１５５と、突状部１５６ａ、１５６ｂを有していて、背面部本体１５５は、底面部１５２の上辺から折れ線を介して連設され、略方形状（横方向に細長い略方形状）の上辺（略コ字状に組み立てた状態でも上辺）に沿って、所定の間隔に溝部（第２溝部）１５８ａ〜１５８ｃが設けられ、また、所定の間隔に切欠部１６０ａ〜１６０ｄが設けられている。溝部１５８ａ〜１５８ｃは、帯状を呈し、また、切欠部１６０ａ〜１６０ｄは、円弧状を呈している。溝部１５８ａ〜１５８ｃと切欠部１６０ａ〜１６０ｄは該上辺に沿って交互に設けられている。溝部１５８ａ〜１５８ｃは縦方向（Ｙ１−Ｙ２方向（図１３参照））に設けられている。なお、背面部本体１５５の高さ方向の幅（つまり、背面部本体１５５の高さ方向の最大幅）は、正面部本体１４５の高さ方向の幅（つまり、正面部本体１４５の高さ方向の最大幅）よりも大きく形成されている。つまり、背面部１５４の高さ方向の幅が、正面部１４４の高さ方向の幅よりも大きく形成されている。
【００８９】
また、背面部本体１５５の両側には、突状部１５６ａと突状部１５６ｂとが設けられ、突状部１５６ａ、１５６ｂとはともに下側に屈曲した略Ｌ字状に形成されている。これにより、突状部１５６ａと背面部本体１５５の一方の側辺との間には溝部（第１溝部）１５７ａが形成され、また、突状部１５６ｂと背面部本体１５５の他方の側辺との間には溝部（第１溝部）１５７ｂが形成されている。
【００９０】
なお、図１３において、正面部１４４と底面部１５２間の境界や底面部１５２と背面部１５４間の境界は、Ｘ１−Ｘ２方向を向いている。また、正面部１４４、底面部１５２、背面部１５４の両側（Ｘ１側とＸ２側）の辺部は、Ｙ１−Ｙ２方向を向いている。
【００９１】
なお、個別陳列棚部１４２における、正面部１４４の高さ方向の幅に対する背面部１５４の高さ方向の幅の割合は、個別陳列棚部４２と比べて大きくなっている。
【００９２】
各個別陳列棚部１４２は、立設部１１０に対して嵌合させることにより設けられている。つまり、個別陳列棚部１４２の溝部１４６ａ、１５６ａを側面部１１４の溝部１２０に嵌合し合うようにするとともに、溝部１４６ｂ、１５６ｂを側面部１２４の溝部１３０に嵌合し合うようにすることにより、個別陳列棚部１４２が立設部１１０に係止されて設けられている。なお、最下端の個別陳列棚部１４２は、下から１番目と２番目の溝部１２０、１３０に係止され、また、下から２番目の個別陳列棚部１４２は、下から２番目と３番目の溝部１２０、１３０に係止され、また、下から３番目の個別陳列棚部１４２は、下から３番目と４番目の溝部１２０、１３０に係止され、また、下から４番目の個別陳列棚部１４２は、下から４番目と５番目の溝部１２０、１３０に係止され、また、下から５番目（つまり、上から１番目）の個別陳列棚部１４２は、下から５番目と６番目の溝部１２０、１３０に係止されている（下から６番目の溝部１２０、１３０は、上から１番目の溝部１２０、１３０となる）。よって、溝部１２０のうち、最も下位置の溝部と最も上位置の溝部以外の各溝部１２０には、１つの個別陳列棚部１４２における溝部１４７ａと他の個別陳列棚部１４２における溝部１５７ａの２つの溝部が嵌合し、また、同じく、溝部１３０のうち、最も下位置の溝部と最も上位置の溝部以外の各溝部１３０には、１つの個別陳列棚部１４２における溝部１４７ｂと他の個別陳列棚部１４２における溝部１５７ｂの２つの溝部が嵌合することになる。これにより、隣接する個別陳列棚部１４２は、互いに接した状態で設けられている。
【００９３】
なお、背面部１１２は、図９〜図１１に示すように、最上位置の個別陳列棚部１４２の上端よりも突出した状態となっており、この突出した領域に、広告等を表示することが可能となる。
【００９４】
また、仕切り部１７０は、図１４に示すように形成され、本体部１７２と、突状部１７４ａ〜１７４ｇとを有している。ここで、本体部１７２は、細長の平行四辺形（帯状としてもよい）を呈し、本体部１７２の長辺は垂直方向（Ｙ１−Ｙ２方向）に対して斜めに設けられている。また、突状部１７４ａは、本体部１７２の側方の上端位置に設けられ、三角形状と略方形状とを合わせた形状を呈している。また、突状部１７４ｂは、本体部１７２の側方の突状部１７４ａの位置よりも下側に設けられ、下方（Ｙ１方向（垂直方向））に突出した形状を呈しており、具体的には、三角形状と方形状を合わせた形状を呈している。この突状部１７４ｂの図１４における右側の辺部は垂直方向を向いており、また、下側の辺部は水平方向を向いている。また、突状部１７４ｃは、本体部１７２の側方の突状部１７４ｂの位置よりも下側に設けられ、また、突状部１７４ｄは、本体部１７２の側方の突状部１７４ｃの位置よりも下側に設けられ、また、突状部１７４ｅは、本体部１７２の側方の突状部１７４ｄの位置よりも下側に設けられ、また、突状部１７４ｆは、本体部１７２の側方の突状部１７４ｅの位置よりも下側に設けられている。突状部１７４ｃ、１７４ｄ、１７４ｅ、１７４ｆの形状は、上記突状部１７４ｂと同様であるので、詳しい説明を省略する。また、突状部１７４ｇは、本体部１７２の下側の端部から下方（Ｙ１方向（垂直方向））に突出した形状を呈しており、具体的には、方形状（厳密には台形形状）を呈している。
【００９５】
また、突状部１７４ａ〜１７４ｇにおける互いに隣接し合う突状部間には、溝部１７６が形成されている。この溝部１７６は、縦長の長方形状を呈し、垂直方向（Ｙ１−Ｙ２方向）を向いている。なお、仕切り部１７０は、１枚の板状部材（具体的には、段ボール材等の紙材）から形成されている。
【００９６】
仕切り部１７０は、陳列棚部１４１に嵌合して設けられている。つまり、陳列棚部１４１には、図９に示すように、計３つの仕切り部１７０が設けられていて、正面視における右側の仕切り部１７０は、仕切り部１７０における各溝部が、個別陳列棚部１４２における溝部１４８ａ、１５８ａに嵌合している。なお、仕切り部１７０における最上位置の溝部１７６（突状部１７４ａと突状部１７４ｂ間の溝部１７６）は、最上位置の個別陳列棚部１４２における溝部１５８ａと嵌合し合い、仕切り部１７０における最下位置の溝部１７６（突状部１７４ｆと突状部１７４ｇ間の溝部１７６）は、最下位置の個別陳列棚部１４２における溝部１４８ａと嵌合し合っているが、正面視における右側の仕切り部１７０における他の溝部１７６については、各溝部１７６が、溝部１４８ａ及び溝部１５８ａと嵌合し合っている。
【００９７】
また、同様に、正面視における中央の仕切り部１７０は、仕切り部１７０における各溝部が、個別陳列棚部１４２における溝部１４８ｂ、１５８ｂに嵌合している。なお、仕切り部１７０における最上位置の溝部１７６（突状部１７４ａと突状部１７４ｂ間の溝部１７６）は、最上位置の個別陳列棚部１４２における溝部１５８ｂと嵌合し合い、仕切り部１７０における最下位置の溝部１７６（突状部１７４ｆと突状部１７４ｇ間の溝部１７６）は、最下位置の個別陳列棚部１４２における溝部１４８ｂと嵌合し合っているが、正面視における中央の仕切り部１７０における他の溝部１７６については、各溝部１７６が、溝部１４８ｂ及び溝部１５８ｂと嵌合し合っている。
【００９８】
また、同様に、正面視における左側の仕切り部１７０は、仕切り部１７０における各溝部が、個別陳列棚部１４２における溝部１４８ｃ、１５８ｃに嵌合している。なお、仕切り部１７０における最上位置の溝部１７６（突状部１７４ａと突状部１７４ｂ間の溝部１７６）は、最上位置の個別陳列棚部１４２における溝部１５８ｃと嵌合し合い、仕切り部１７０における最下位置の溝部１７６（突状部１７４ｆと突状部１７４ｇ間の溝部１７６）は、最下位置の個別陳列棚部１４２における溝部１４８ｃと嵌合し合っているが、正面視における左側の仕切り部１７０における他の溝部１７６については、各溝部１７６が、溝部１４８ｃ及び溝部１５８ｃと嵌合し合っている。
【００９９】
この仕切り部１７０は、図９に示すように陳列棚部１４１に係止した状態では、個別陳列棚部１４２において正面部１４４と底面部１５２と背面部１５４とで囲まれる収納空間を仕切るように構成される。
【０１００】
以上のように陳列部１４０は、該立設部１１０における一対の側面部１１４、１２４間に支持されていて、販売対象の物品のサンプル又は該物品を陳列することができるものである。
【０１０１】
次に、収納部１８０は、図１０、図１１等に示すように、スリーブ状部１８１と、扉部１９０、２００とを有している。
【０１０２】
このスリーブ状部１８１は、底面部１８２と、側面部１８４と、上面部１８６と、側面部１８８とを有し、これらの各部によりスリーブ状に形成されている。
【０１０３】
収納部１８０を構成する各部の展開状態を示すと、図１５及び図１６に示すように構成され、図１５に示す収納部構成部１８０Ａと、図１６に示す収納部構成部１８０Ｂとを組み合わせることにより、収納部１８０が構成される。収納部構成部１８０Ａと収納部構成部１８０Ｂは、ともに１枚の板状部材（具体的には、段ボール材等の紙材）から形成されている。
【０１０４】
まず、収納部構成部１８０Ａは、上面部１８６と、側面部１８８と、扉部１９０とを有している。つまり、上面部１８６は、長方形状の板状を呈していて、その長手方向の長さは、背面部１１２の横方向（つまり、図１２におけるＸ１−Ｘ２方向）の長さと略同一に形成されている。また、上面部１８６の短手方向の長さは、保管棚部２０５を収納するのに十分な長さに形成されている。なお、上面部１８６における長手辺からは略台形形状の接続片部１８６ａが折れ線を介して連設され、また、上面部１８６における短手辺からは略台形形状の糊代部１８６ｂが折れ線を介して連設されている。
【０１０５】
また、側面部１８８は、上面部１８６における糊代部１８６ｂが連設された側とは反対側の短手辺から折れ線を介して連設されていて、台形形状と方形状とを合わせた形状を呈している。つまり、側面部１８８の上側が台形形状を呈し、下側が方形状を呈している。これにより、側面部１８８は、縦長長方形状の１つの角部を含む領域を斜めに欠切した形状を呈していて、側面部１８８の側方には傾斜辺が形成されている。また、側面部１８８の傾斜辺とは反対側の側辺には、接続片部１８８ａが連設されている。この接続片部１８８ａは、側面部１８８に１つ設けられているが、側面部１８８の側辺に沿って所定の間隔を介して２つの接続片部１８８ａを設けるようにしてもよい。
【０１０６】
また、側面部１８８の傾斜辺からは折れ線を介して扉部１９０が連設されている。この扉部１９０は、略方形状を呈し、略中央に開口部１９０ａが形成されている。この開口部１９０ａは、略方形状に形成されている。また、扉部１９０における傾斜辺側とは反対側の辺部からは係止部１９２が突出して形成されている。この係止部１９２は、係止部１９２側の幅狭部１９２ａと、先端側の幅広部１９２ｂとで形成され、この幅広部１９２ｂは、開口部２０２ｂは挿通するが、開口部２０２ａは挿通できない幅に形成されていて、また、幅狭部１９２ａは、開口部２０２ａを挿通する幅に形成されている。
【０１０７】
また、収納部構成部１８０Ｂは、底面部１８２と、側面部１８４と、扉部２００とを有している。つまり、底面部１８２は、長方形状の板状を呈していて、その長手方向の長さは、上面部１８６の長手方向の長さと略同一に形成されている。また、底面部１８２の短手方向の長さは、保管棚部２０５を収納するのに十分な長さに形成されている。なお、底面部１８２における長手辺からは略台形形状の接続片部１８２ａが折れ線を介して連設され、また、底面部１８２における短手辺からは略台形形状の糊代部１８２ｂが折れ線を介して連設されている。
【０１０８】
また、側面部１８４は、底面部１８２における糊代部１８２ｂが連設された側とは反対側の短手辺から折れ線を介して連設されていて、台形形状と方形状とを合わせた形状を呈している。つまり、側面部１８４の上側が台形形状を呈し、下側が方形状を呈している。これにより、側面部１８４は、縦長長方形状の１つの角部を含む領域を斜めに欠切した形状を呈していて、側面部１８４の側方には傾斜辺が形成されている。また、側面部１８４の傾斜辺とは反対側の側辺には、接続片部１８４ａが連設されている。なお、この側面部１８４と接続片部１８４ａとを合わせた形状は、側面部１８８と接続片部１８８ａとを合わせた形状と対称の形状となっている。この接続片部１８４ａは、側面部１８４に１つ設けられているが、側面部１８４の側辺に沿って所定の間隔を介して２つの接続片部１８４ａを設けるようにしてもよい。
【０１０９】
また、側面部１８４の傾斜辺からは折れ線を介して扉部２００が連設されている。この扉部２００は、略方形状を呈し、略中央に開口部２００ａが形成されている。扉部２００の外形は、扉部１９０の外形と略同一となっている。また、開口部２００ａは、略方形状に形成されている。また、扉部２００の側面部１８４側とは反対側の辺部と開口部２００ａとの間には、開口部２０２が形成されている。この開口部２０２は、略長方形状の幅狭の開口部２０２ａと該開口部２０２ａから連設された開口部２０２ｂで、幅広の開口部２０２ｂとを有し、全体に扁平な凸状を呈している。
【０１１０】
収納部１８０を組み立てるに当たっては、糊代部１８６ｂの表面側を側面部１８４の裏面側に接着させるとともに、糊代部１８２ｂの表面側を側面部１８８の裏面側に接着させて、底面部１８２と側面部１８４と上面部１８６と側面部１８８とによってスリーブ状に形成する。そして、接続片部１８６ａと接続片部１８２ａを内側に折り曲げて、立設部１１０の背面部１１２に接着させるとともに、接続片部１８８ａを立設部１１０の側面部１２４に接着させ、また、接続片部１８４ａを立設部１１０の側面部１１４に接着させる。なお、収納部１８０と立設部１１０の接着に当たっては、接着剤や両面接着テープ等を使用する。
【０１１１】
この収納部１８０には、スリーブ状部１８１が設けられているので、スリーブ状部１８１の背面側に開口部が設けられているといえる。また、収納部１８０において、扉部１９０と扉部２００は、上記規制手段や上記開閉手段として機能する。
【０１１２】
また、保管棚部２０５は、大きさが異なるものの、立設部１１０と陳列部１４０とからなる構成と略同様の構成である。
【０１１３】
すなわち、保管棚部２０５は、立設部２１０と、陳列部２４０とを有し、陳列部２４０は、複数の個別陳列棚部２４２からなる陳列棚部２４１と、仕切り部２７０とを有している。
【０１１４】
すなわち、立設部２１０は、平面視においては略コ字状を呈し、背面部２１２と、側面部２１４と、側面部２２４とを有している。背面部２１２の構成は背面部１１２と略同様であるが、背面部２１２の上端が突出せず、最上位置の個別陳列棚部２４２の上端とほぼ同じ高さである点が異なる。また、側面部２１４は側面部１１４と同様の構成であり、側面部２２４は側面部１２４と同様の構成である。
【０１１５】
また、陳列部２４０は、複数の個別陳列棚部２４２からなる陳列棚部２４１と、仕切り部２７０とを有しているが、個別陳列棚部２４２は、個別陳列棚部１４２と同様の構成であり、仕切り部２７０は、仕切り部１７０と同様の構成である。
【０１１６】
なお、立設部２１０と陳列部２４０の大きさは、収納部１８０内に収納できるように、立設部１１０や陳列部１４０よりも小さく形成されている。
【０１１７】
以上のように、保管棚部２０５の形状は、立設部１１０と陳列部１４０とからなる構成の形状と比べると、背面部２１２が上方に突出していない点が異なるのみであり、また、保管棚部２０５が収納部１８０内に収納可能な大きさに形成されている点が異なるといえる。
【０１１８】
なお、個別陳列棚部２４２において仕切り部２７０によって仕切られた個別収納部Ｓ’
が複数設けられているが、各個別収納部Ｓ’は同じ大きさであり、はがきを収納できる大きさに形成されている。
【０１１９】
上記構成の陳列保管具Ａ２の使用状態について説明する。この陳列保管具Ａ２は、年賀状用はがき（物品）について使用するものである。つまり、上記実施例１の陳列保管具Ａ１と同様に、宛名を記載する面の反対側の面が印刷済みの年賀状用はがきについて使用する。なお、年賀状用はがき以外のはがき（例えば、暑中見舞いはがき）について使用してもよく、また、はがき以外の物品に使用してもよい。
【０１２０】
陳列保管具Ａ２における陳列部１４０には、各個別陳列棚部１４２において仕切り部１７０により仕切られた個別収納部Ｓが複数（図９の例では、２０個の個別収納部）設けられる（各個別収納部Ｓの大きさは同じ大きさである）ので、各個別収納部Ｓに年賀状用はがきのサンプルを収納して陳列する。複数種類のサンプルがある場合には、各種類ごとにサンプルを個別収納部Ｓに収納する。なお、年賀状用はがきのサンプルではなく、実際に販売する年賀状用はがきの実物を陳列してもよい。
【０１２１】
また、保管棚部２０５には、各個別陳列棚部２４２において仕切り部２７０により仕切られた個別収納部Ｓ’が複数（図１１の例では、２０個の個別収納部）設けられるので、各個別収納部Ｓ’に、陳列部１４０に陳列するサンプルに対応する年賀状用はがきを収納しておく。この保管棚部２０５に保管される年賀状用はがきが実際に販売するはがきとなる。年賀状用はがきとしては、例えば、複数枚でセットにしてパック封入されたものとする。なお、保管棚部２０５は、収納部１８０内に収納しておく。
【０１２２】
なお、陳列部１４０に陳列するサンプルに番号を付しておき、保管棚部２０５における各個別収納部Ｓ’に対応する番号を付しておくことが好ましい。このようにすることにより、サンプルに対応するはがきを即座に取り出すことが可能となる。
【０１２３】
陳列保管具Ａ２は、実施例１の陳列保管具Ａ１と同様に、例えば、コンビニエンスストア等のレジのカウンタ等に設置しておく。そして、本体部１０１における陳列部１４０側（Ｙ１側）を顧客側とし、本体部１０１における背面部１１２側をレジ内の店員側として設置する。そして、通常は、扉部１９０、２００は閉じた状態としておく。その際、扉部１９０の係止部１９２を扉部２００の開口部２０２に係止させて、容易には扉部１９０、２００が開かないようにしておくことが好ましい。
【０１２４】
そして、顧客が購入しようとするサンプルを陳列部１４０から取り出してレジ内の店員に提示した場合には、店員は、扉部１９０、２００を開けて、提示されたサンプルに対応するはがきを保管棚部２０５から取り出して顧客に渡して代金を受け取る。はがきの取り出しが完了したら、再び扉部１９０、２００を閉じた状態とする。
【０１２５】
また、コンビニエンスストアを閉店する際には、はがきが収納された保管棚部２０５を本体部１０１内から取り出して、別の場所（金庫等）に保管しておくことが好ましい。
【０１２６】
以上のように、本実施例の陳列保管具Ａ２においては、はがきを保管する保管棚部２０５を本体部１０１内に収納することができるので、はがきを別途保管する必要がない。すなわち、別途保管する場合には、はがきを取り出すのに時間が掛かり、レジにおける対応に時間が掛かるが、本実施例の場合には、はがきを即座に取り出すことができ、レジにおける対応を迅速に行うことができる。また、本実施例の陳列保管具Ａ２においては、はがきを取り出す場合以外は、扉部１９０、２００を閉じた状態としておくことができるので、盗難を防止することができ、防犯に優れている。つまり、例えば、保管棚部２０５が立設部１１０の背面側に単に置かれている場合には、顧客が立設部１１０の後ろに手を伸ばすことによりはがきを盗難することが可能となってしまうが、本実施例の場合には、保管棚部２０５が収納部１８０内に収納され、扉部１９０、２００を閉じた状態としておくことができるので、顧客が立設部１１０の後ろに手を伸ばしたのみでは盗難を行うことができず、盗難を十分防止することができる。
【０１２７】
なお、上記の実施例２において、収納部１８０においては、扉部１９０、２００が観音開き状に開閉するとして説明したが、これには限られず、スリーブ状部１８１の背面側（Ｙ２側）の開口部の全部又は一部を開閉する構成であればよい。例えば、上記の実施例２においては、１つの扉により構成されていてもよい。例えば、扉部１９０の横方向の長さを長くして１つの扉部でスリーブ状部１８１の開口部の全部又は一部を開閉するようにしてもよい。
【０１２８】
また、上記収納部１８０は、スリーブ状部１８１と一対の扉部１９０、２００を設ける構成としたが、スリーブ状部１８１の代わりに、以下のような構成としてもよい。すなわち、該スリーブ状部１８１の背面側にスリーブ状部１８１の背面側をカバーする板状の背面部を設け、該背面部に開口部又は切欠部を設けて、該開口部又は切欠部を開閉する開閉手段（例えば、図１０、図１１に示すような扉部）を設けるのである。
【０１２９】
また、収納部１８０内に収納される保管棚部２０５については、はがきを保管できる部材であれば他の構成でもよく、例えば、実施例１における箱部８０のような箱状の部材でもよい。
【０１３０】
また、上記実施例１及び実施例２において、複数の個別陳列棚部４２、１４２からなる陳列棚部４１、１４１と仕切り部７０、１７０とを有する陳列部４０、１４０を立設部１０、１１０に設けるものとして説明したが、陳列部の構成は、はがき又ははがきのサンプルを陳列できるものであれば他の構成でもよい。
【図面の簡単な説明】
【０１３１】
【図１】実施例１の陳列保管具の前方斜視図である。
【図２】実施例１の陳列保管具における本体部の後方斜視図である。
【図３】実施例１の陳列保管具の使用状態を示す後方斜視図である。
【図４】実施例１の陳列保管具における箱部の斜視図である。
【図５】実施例１の陳列保管具における立設部の展開図である。
【図６】実施例１の陳列保管具における個別陳列棚部の展開図である。
【図７】実施例１の陳列保管具における仕切り部の平面図である。
【図８】実施例１の陳列保管具における箱部の展開図である。
【図９】実施例２の陳列保管具の前方斜視図である。
【図１０】実施例２の陳列保管具の後方斜視図で、扉部を閉じた状態の後方斜視図である。
【図１１】実施例２の陳列保管具の後方斜視図で、扉部を開いた状態の後方斜視図である。
【図１２】実施例２の陳列保管具における立設部の展開図である。
【図１３】実施例２の陳列保管具における個別陳列棚部の展開図である。
【図１４】実施例２の陳列保管具における仕切り部の平面図である。
【図１５】実施例２の陳列保管具における収納部を構成する収納部構成部の展開図である。
【図１６】実施例２の陳列保管具における収納部を構成する収納部構成部の展開図である。
【符号の説明】
【０１３２】
Ａ１、Ａ２  陳列保管具
１、１０１  本体部
１０、１１０、２１０  立設部
１２、１１２  背面部
１２ａ  背面本体部
１２ｂ  蓋部
１４、２４、１１４、１２４  側面部
１８ａ、１８ｂ、１８ｃ、１８ｄ、１８ｅ、１８ｆ、２８ａ、２８ｂ、２８ｃ、２８ｄ、２８ｅ、２８ｆ、１１８ａ、１１８ｂ、１１８ｃ、１１８ｄ、１１８ｅ、１１８ｆ、１２８ａ、１２８ｂ、１２８ｃ、１２８ｄ、１２８ｅ、１２８ｆ  突状部
２０、３０、１２０、１３０  溝部
４０、１４０、２４０  陳列部
４１、１４１、２４１  陳列棚部
４２、１４２、２４２  個別陳列棚部
７０、１７０、２７０  仕切り部
８０  箱部
１８０  収納部
１８１  スリーブ状部
１９０、２００  扉部
２０５  保管棚部
Ｓ、Ｓ’  個別収納部
Ｔ  サンプル
Ｕ  年賀状用はがき
【図１】
0003113514.tif 000003
【図２】
0003113514.tif 000004
【図３】
0003113514.tif 000005
【図４】
0003113514.tif 000006
【図５】
0003113514.tif 000007
【図６】
0003113514.tif 000008
【図７】
0003113514.tif 000009
【図８】
0003113514.tif 000010
【図９】
0003113514.tif 000011
【図１０】
0003113514.tif 000012
【図１１】
0003113514.tif 000013
【図１２】
0003113514.tif 000014
【図１３】
0003113514.tif 000015
【図１４】
0003113514.tif 000016
【図１５】
0003113514.tif 000017
【図１６】
0003113514.tif 000018